(57)【要約】システムは、キャンペーン・サーバ内（ＳＣ、ＢＤ）で使用可能とされたデータを、データのダウンロード・キャンペーン中に、無線通信ネットワーク（ＲＲ）を介して、ポータブル通信オブジェクト（Ｃ１〜ＣＮ）にダウンロードする。キャンペーン・サーバ内のキャンペーン・マネージャ（ＧＥＣ）は、キャンペーン規則（ＲＧＣ）を、無線通信ネットワークに接続されたプレゼンス・サーバ（ＳＰ）に伝送する。プレゼンス・マネージャ（ＧＥＰ）は、キャンペーン・サーバから使用可能な通信オブジェクトへのデータのダウンロードを開始するために、無線通信ネットワーク内の少なくとも１つの通信オブジェクトの存在に関するイベントが、伝送されたキャンペーン規則を満たす旨を、キャンペーン・サーバに通知する。【選択図】  図２
2009514470.tif 000002
【特許請求の範囲】
【請求項１】
ネットワーク内の通信オブジェクトの存在を検出するプレゼンス・サーバ（ＳＰ）を備える、キャンペーン・サーバ（ＳＣ、ＢＤ）内で使用可能とされたデータ（Ｄ）を、データのダウンロード・キャンペーン中に、無線通信ネットワーク（ＲＲ）を介して、ポータブル通信オブジェクト（Ｃ１〜ＣＮ）にダウンロードするための方法であって、
前記キャンペーンに関するキャンペーン規則を前記キャンペーン・サーバから前記プレゼンス・サーバ（ＳＰ）へ伝送する（Ｅ２、Ｅ２０）ステップと、
前記無線通信ネットワーク内の少なくとも１つの通信オブジェクト（Ｃｎ）の存在に関するイベント（ＥＰ）が、前記キャンペーン・サーバから存在する前記通信オブジェクトへの前記データのダウンロードを開始する（Ｅ４）ために伝送されたキャンペーン規則を満たす旨を、前記プレゼンス・サーバによって、前記キャンペーン・サーバに通知する（Ｅ３、Ｅ３４）ステップと、
を有することを特徴とする方法。
【請求項２】
キャンペーン規則が、前記キャンペーンによって対象とされる通信オブジェクト（Ｃｎ）の少なくとも１つの識別子（ＩＤＣｎ）と、前記無線通信ネットワーク（ＲＲ）内の前記通信オブジェクトに関する少なくとも１つの存在条件と、を含む、請求項１に記載の方法。
【請求項３】
前記無線通信ネットワーク内の前記通信オブジェクトに関する存在条件が、前記通信オブジェクト（Ｃｎ）の前記無線通信ネットワーク（ＲＲ）への所定期間の接続である、請求項１または２に記載の方法。
【請求項４】
前記キャンペーン・サーバ（ＳＣ）による前記プレゼンス・サーバ（ＳＰ）への前記キャンペーン規則（ＲＧＣ）の伝送（Ｅ２０）後、前記無線通信ネットワーク内の前記対象とされる通信オブジェクトの前記存在に関するイベント（ＥＰ）が、前記キャンペーン規則と、組み合わされた前記存在規則との両方を満たすように、前記プレゼンス・サーバは、対象とされる通信オブジェクト（Ｃｎ）に関する各キャンペーン規則と、前記対象とされる通信オブジェクトの少なくとも１つのアクセス可能時限範囲に関する存在規則（ＲＧＰ）とを組み合わせる（Ｅ２２）、請求項１乃至３のいずれか一項に記載の方法。
【請求項５】
前記キャンペーンが終了した場合（Ｅ５０）、前記キャンペーン規則（ＲＧＣ）は前記プレゼンス・サーバ（ＳＰ）内で削除される（Ｅ５２）、請求項１乃至４のいずれか一項に記載の方法。
【請求項６】
前記データ（Ｄ）が、前記キャンペーン・サーバ（ＳＣ）によって、前記プレゼンス・サーバ（ＳＰ）を通過しないデータ・チャネル（ＣＤ）を介して、前記存在する通信オブジェクト（Ｃｎ）にダウンロードされる、請求項１乃至５のいずれか一項に記載の方法。
【請求項７】
ネットワーク内の通信オブジェクトの存在を検出するプレゼンス・サーバ（ＳＰ）を備える、キャンペーン・サーバ内（ＳＣ、ＢＤ）で使用可能とされたデータ（Ｄ）を、データのダウンロード・キャンペーン中に、無線通信ネットワーク（ＲＲ）を介して、ポータブル通信オブジェクト（Ｃ１〜Ｃｎ）にダウンロードするためのシステムであって、
前記キャンペーンに関するキャンペーン規則を前記プレゼンス・サーバ（ＳＰ）へ伝送するための前記キャンペーン・サーバにおける手段（ＩＣＣ）と、
前記無線通信ネットワーク内の少なくとも１つの通信オブジェクト（Ｃｎ）の存在に関するイベント（ＥＰ）が、前記キャンペーン・サーバから前記存在する通信オブジェクトへの前記データのダウンロードを開始するために伝送されたキャンペーン規則を満たす旨を、前記キャンペーン・サーバに通知するための、前記プレゼンス・サーバにおける手段（ＧＥＰ、ＩＣＰ）と、
を備えることを特徴とするシステム。
【請求項８】
前記通信オブジェクトが、モバイル端末（Ｔ１〜ＴＮ）から取り外し可能なユーザ・チップ・カード（Ｃ１〜Ｃｎ）であることを特徴とする、請求項７に記載のシステム。
【請求項９】
前記通信オブジェクトがモバイル端末（Ｔ１〜ＴＮ）であることを特徴とする、請求項７に記載のシステム。
【請求項１０】
前記無線通信ネットワークが、符号分散多重アクセス・ネットワークＣＤＭＡであることを特徴とする、請求項７乃至９のいずれか一項に記載のシステム。
【請求項１１】
ネットワーク内の通信オブジェクトの存在を検出するプレゼンス・サーバ（ＳＰ）を備える、キャンペーン・サーバ内（ＳＣ、ＢＤ）で使用可能とされたデータ（Ｄ）を、データのダウンロード・キャンペーン中に、無線通信ネットワーク（ＲＲ）を介して、ポータブル通信オブジェクト（Ｃ１〜Ｃｎ）にダウンロードするためのシステム内に実装可能なプログラムであって、前記プログラムが前記システム内で実行された場合、
前記キャンペーンに関するキャンペーン規則を前記キャンペーンから前記プレゼンス・サーバ（ＳＰ）へ伝送する（Ｅ２、Ｅ２０）ステップと、
前記無線通信ネットワーク内の少なくとも１つの通信オブジェクト（Ｃｎ）の存在に関するイベント（ＥＰ）が、前記キャンペーン・サーバから前記存在する通信オブジェクトへの前記データのダウンロードを開始する（Ｅ４）ために伝送されたキャンペーン規則を満たす旨を、前記プレゼンス・サーバによって前記キャンペーン・サーバに通知する（Ｅ３、Ｅ３４）ステップと、
を実行する命令を備えることを特徴とするプログラム。
【発明の詳細な説明】
【技術分野】
【０００１】
本発明は、ダウンロード・キャンペーン中の、無線通信ネットワークを介したポータブル通信オブジェクトへのキャンペーン・サーバからのデータのダウンロードに関する。とりわけ、キャンペーンによって対象とされるポータブル通信オブジェクトが無線通信ネットワーク内に存在すると思われる場合の、データのダウンロードに関する。
【背景技術】
【０００２】
ポータブル通信オブジェクトとは、ＭＭＣ（マルチメディア・カード）、ＳＤ（セキュア・デジタル・カード）、およびＵＩＣＣ（汎用集積回路カード）などの、チップ・カードのことである。ＵＩＣＣチップ・カードは、たとえば、ＵＭＴＳ（汎用モバイル通信システム）またはＵＴＲＡＮ（ＵＭＴＳ地球無線アクセス・ネットワーク）タイプの第３世代（３ＧＰＰ）ＣＤＭＡ（符号分割多重アクセス）、あるいはＣＤＭＡ  ２０００タイプの第３世代（３ＧＰＰ２）で機能するモバイル端末に関連付けられた、端末がＧＳＭまたはＧＰＲＳタイプのモバイルである場合のＳＩＭ（加入者識別モジュール）アプリケーション、あるいは、ＵＳＩＭ（汎用加入者識別モジュール）、ＲＵＩＭ（取り外し可能ユーザ識別モジュール）、またはＩＳＩＭ（ＩＰ加入者識別モジュール）アプリケーションが提供されたカードである。
【０００３】
データをダウンロードするためのキャンペーン・サーバは、ＯＴＡ（Ｏｖｅｒ  Ｔｈｅ  Ａｉｒ）カード管理プラットフォームとも呼ばれ、無線通信ネットワークを管理するオペレータが、モバイル端末内のチップ・カードの制御を維持し、それらのコンテンツを修正できるようにする、ソフトウェアを備える。オペレータ主導（プッシュ・モード）のこれらの操作は、たとえば、オペレータによって管理されるストック内の所定のカードへのファイルのダウンロード、あるいは、オペレータによって管理されるカード内での、所与のアプリケーションのダウンロードまたは削除、または、ファイルまたは所与のアプリケーション内のデータの修正に関する。
【０００４】
本発明は、とりわけ、キャンペーン・サーバはユーザ・カードへの単一ダウンロードが動作可能であるにもかかわらず、大量のデータをユーザ・カードにダウンロードするキャンペーンに関する。
第１の例によれば、ダウンロードは、海外にいることの多い世界を飛び回るユーザを対象とする、カードを管理するネットワークのオペレータが契約を交わしているオペレータによって管理された１０を超える好ましいネットワーク識別子を含む、単一の個人ファイルに関する。好ましいネットワーク識別子ファイルは固有であり、その目的は、好ましくは、ユーザが海外にいる場合にユーザのカードがこれらのネットワークに接続されるように、多くの所定のユーザ・カードにダウンロードされることである。
【０００５】
この第１の例では、現在、オペレータには、キャンペーン・サーバからこのファイルをダウンロードするための２つの可能性がある。第１の可能性によれば、オペレータは、関連ユーザが最初にローミングしているときに、要件に従って単位（unitary）様式でファイルをダウンロードすることを決定し、続くすべてのユーザのローミングに対しても同様である。キャンペーン・モードと呼ばれる第２の可能性によれば、サーバは、単一のキャンペーン中に、ユーザがローミング・オプションに加入しているカードに対して、好ましいネットワーク識別子ファイルを送信する。
キャンペーン・モードでは、対象となるユーザの数は何百、何千、何百万でも可能である。
【０００６】
第２の例によれば、ダウンロードは、カード内の電話番号リストの管理を容易にするアプリケーションに関する。このアプリケーションは、ユーザが、オペレータによって管理される所定のサーバに自分の全リストを保存できるようにするものであり、この保存は、ユーザが新しい電話番号を自分のカードに記録するたびに更新される。
この第２の例によれば、３つの可能性が提供される。ユーザは、電話に提示された広告に従って、自分のカードへのアプリケーションのダウンロードを要求するために、オペレータのコール・センターに日中に電話をかける。この動作は、キャンペーン・サーバ内でオペレータによって顧客ケア・モードでトリガされる単位動作である。第２の可能性によれば、ユーザは、自分のモバイル端末からオペレータのサイトに相談し、カードへのアプリケーションのダウンロードをトリガするように、自分自身でダウンロードをオーダする主導権を取る。このダウンロードも、いわゆる自己ケア・モードでユーザによってキャンペーン・サーバ内で制御される、単位アプリケーションである。第３の可能性によれば、オペレータは、ダウンロード動作を数千人の対象ユーザ全体にわたってキャンペーン・モードでトリガするため、結果としてＯＴＡサーバがこれらすべてのカードにダウンロードする動作を管理する。
【０００７】
前述のキャンペーン・サーバからのダウンロードすべてについて、ダウンロード・キャンペーン中のサーバとカードとの間での通信チャネルの確立は、オペレータによって決定され、サーバ内で開始される。これらのダウンロードは「プッシュ・モード」で機能する。
【０００８】
プッシュ・モードの第１の実施形態によれば、ダウンロードは、一連のショート・メッセージＳＭＳの送信によって実行され、カードにとって既知のプロトコルに従ってキャンペーン・サーバによってフォーマット化され、その後、ＧＳＭタイプのオペレータの通信ネットワークを介してカードに送信される。この実施形態については、２００４年９月２７日付け出願の「Ｃａｍｐａｉｇｎ  ｆｏｒ  ｄｏｗｎｌｏａｄｉｎｇ  ｄａｔａ  ｉｎ  ｐｏｒｔａｂｌｅ  ｃｏｍｍｕｎｉｃａｔｉｎｇ  ｏｂｊｅｃｔｓ」という名称のフランス特許出願第０４１０２２５号に記載されている。ＳＭＳ技術の使用を必要とするプッシュ・モード通信の確立は、インフラストラクチャがショート・メッセージをサポートしていないネットワークにとって、または、たとえばＣＤＭＡ（符号分割多重アクセス）ネットワークでのカードの遠隔更新に必要な標準にショート・メッセージが合致していないネットワークにとっての欠点である。もう１つの欠点は、多数の後続のテストを必要とするキャンペーン中に、カードの端末が電源オフになっているか、または無線通信ネットワークの適用範囲外にある場合、カードが使用できないことである。
【０００９】
これらの欠点を改善するために、第２の実施形態は、ＧＰＲＳまたはＵＭＴＳタイプの新世代無線通信ネットワークからの、ＩＰ（インターネット・プロトコル）タイプのデータ・チャネルを介したダウンロードからなる。キャンペーン・サーバは、いわゆる「プッシュＳＭＳ」ショート・メッセージをカードに送信することによって、多数のチップ・カードにデータをダウンロードするためのキャンペーンを開始する。カードＣｎは、ＳＭＳメッセージを受信するとすぐに、キャンペーン・サーバと直接通信するためのセッションを開始するため、およびキャンペーンが関係するデータを受信するために、カードを収容しているモバイル端末と、データ・ネットワークのＧＧＳＮタイプ（ゲートウェイＧＰＲＳサポート・ノード）のゲートウェイとを使用して、通信チャネルをオープンする。
【００１０】
ダウンロード・キャンペーンは、数日から数ヶ月の範囲の可能性がある比較的短期間にわたり、しばしば大量に（数百万カード）実行されるため、結果として、無線通信ネットワーク上にトラフィック・ピークを生じさせる。この期間中、ネットワークにはかなりのストレスがかかるため、一時的なオーバロードのサポートが可能な適切な規模のインフラストラクチャを必要とする。カードを担持しているモバイル端末が再度ネットワークの適用範囲下にあるかどうかがわからずに、新しいテストを管理することで、ネットワーク上のオーバロードがさらに上昇する。
【００１１】
前述の欠点は、出願者によって２００５年７月２８日付けで出願され、公告されていない、フランス特許出願第０５５２３６５号に記載された第３の実施形態によって改善される。この第３の実施形態は、現行のプッシュ・モードを、無線通信ネットワークのオペレータによって使用可能とされたコンテンツを取得するために、ダウンロード・キャンペーン中にキャンペーン・サーバとの通信を開始するカードによる問い合わせ（interrogation）モードに変更する。
【特許文献１】フランス特許出願第０４１０２２５号
【特許文献２】フランス特許出願第０５５２３６５号
【発明の開示】
【発明が解決しようとする課題】
【００１２】
本発明の目的は、キャンペーン・サーバが、提供されたデータの通信オブジェクトへのダウンロードを実行できるような、ある期間に、キャンペーンの対象であるカードなどの少なくとも１つの通信オブジェクトが、無線通信ネットワーク内に存在すると思われる場合、この通信オブジェクトにデータをダウンロードすることによって、前述の欠点を改善することである。これには、とりわけ、ダウンロード側サーバによる再テストの管理を解消すること、および、キャンペーンによる無線通信ネットワーク上のトラフィック・ピークを回避すること、という利点がある。
【課題を解決するための手段】
【００１３】
この目的を達成するために、キャンペーン・サーバ内で使用可能とされたデータを、データのダウンロード・キャンペーン中に、無線通信ネットワークを介して、ポータブル通信オブジェクトにダウンロードするための方法は、キャンペーンに関するキャンペーン規則をキャンペーン・サーバからプレゼンス（presence）・サーバへ伝送するステップと、無線通信ネットワーク内の少なくとも１つの通信オブジェクトの存在に関するイベントが、キャンペーン・サーバから存在する通信オブジェクトへのデータのダウンロードを開始するために伝送されたキャンペーン規則を満たす旨を、プレゼンス・サーバによって、キャンペーン・サーバに通知するステップと、を有するという点で特徴付けられる。
【００１４】
さらに本発明は、無線通信ネットワークに接続されたプレゼンス・サーバ内のキャンペーン規則の伝送により、キャンペーン・サーバから起動された大量キャンペーンを最適化することができる。キャンペーン規則は、キャンペーンによって対象とされる通信オブジェクトの少なくとも１つの識別子と、無線通信ネットワーク内の通信オブジェクトに関する少なくとも１つの存在条件とを、含むことができる。したがってキャンペーン規則は、無線通信ネットワーク内でキャンペーンによって対象とされるチップ・カードなどの通信オブジェクトに関する存在イベントを、明確に識別する。この存在イベントは、キャンペーンによって提供されたダウンロードするデータを受け取るために、通信オブジェクトを無線通信ネットワークに接続するのに十分な所定の期間、通信オブジェクトが無線通信ネットワーク内で使用可能であることを、キャンペーン・サーバに示す。
【００１５】
本発明の方法の他の特徴によれば、キャンペーン・サーバによるプレゼンス・サーバへのキャンペーン規則の伝送後、無線通信ネットワーク内の対象とされる通信オブジェクトの存在に関するイベントが、キャンペーン規則と、組み合わされた存在規則との両方を満たすように、プレゼンス・サーバは、対象とされる通信オブジェクトに関する各キャンペーン規則と、対象とされる当該通信オブジェクトの少なくとも１つのアクセス可能時限範囲に関する存在規則とを組み合わせる。
キャンペーンが終了したことが検出された場合、キャンペーン規則はプレゼンス・サーバ内で削除することができる。
【００１６】
本発明の他の目的は、キャンペーン・サーバ内で使用可能とされたデータを、データのダウンロード・キャンペーン中に、無線通信ネットワークを介して、ポータブル通信オブジェクトにダウンロードするためのシステムである。このシステムは、キャンペーンに関するキャンペーン規則をプレゼンス・サーバへ伝送するためのキャンペーン・サーバにおける手段と、無線通信ネットワーク内の少なくとも１つの通信オブジェクトの存在に関するイベントが、キャンペーン・サーバから存在する通信オブジェクトへのデータのダウンロードを開始するために伝送されたキャンペーン規則を満たす旨を、キャンペーン・サーバに通知するための、プレゼンス・サーバにおける手段と、を備えるという点で特徴付けられる。
【００１７】
通信オブジェクトは、モバイル端末の取り外し可能ユーザ・チップ・カード、またはモバイル端末とすることができる。
好ましい実施形態によれば、無線通信ネットワークは、符号分割多重アクセス・ネットワークＣＤＭＡ、たとえばＵＭＴＳ、またはＵＴＲＡＮである。他の実施形態によれば、無線通信ネットワークは、ＧＰＲＳネットワークと支援し合うＧＳＭネットワークである。
【００１８】
本発明は、ショート・メッセージ・サーバを備えるインフラストラクチャに頼らないことが可能である。本発明のシステムは、ショート・メッセージを使用しないパケット・ネットワークを備えることができる。
【００１９】
最終的に、本発明は、キャンペーン・サーバ内で使用可能とされたデータを、データのダウンロード・キャンペーン中に、無線通信ネットワークを介して、ポータブル通信オブジェクトにダウンロードするためのシステム内で使用可能な、コンピュータ・プログラムに関する。このプログラムは、プログラムが当該システム内で、すなわち一部はキャンペーン・サーバ内で、一部はプレゼンス・サーバ内で実行された場合、本発明の方法に従った諸ステップを実行する、命令を備える。
【００２０】
本発明の他の特徴および利点は、対応する添付の図面を参照しながら、非限定的な例を用いて与えられた本発明のいくつかの好ましい実施形態についての以下の説明を読めば、より明らかとなろう。
【発明を実施するための最良の形態】
【００２１】
図１は、それぞれ、デジタル・セルラ式無線通信ネットワークＲＲに接続されたモバイル無線端末Ｔ１〜ＴＮに関連付けられた、取り外し可能使用可能チップ・カードＣ１〜ＣＮなどのポータブル通信オブジェクト内に、データをダウンロードするための主要な手段を示す。１≦ｎ≦Ｎとなるような指数ｎを備える、モバイル端末Ｔｎに関連付けられたチップ・カードＣｎは、ＵＩＣＣ（汎用集積回路カード）タイプである。
【００２２】
本発明に従ったキャンペーン・サーバＳＣは、一般に、ネットワークＲＲのオペレータによって管理され、ダウンロード・キャンペーンによって対象とされるチップ・カードにダウンロードされるデータを備える、ＯＴＡ（Ｏｖｅｒ  Ｔｈｅ  Ａｉｒ）プラットフォームを構築する。
プレゼンス・サーバＳＰは、キャンペーン・サーバＳｃによって作成され、サーバＳＰに伝送された、キャンペーン規則ＲＧＣに従って、無線通信ネットワークＲＲにおける、ダウンロード・キャンペーンによって対象とされるチップ・カードの存在を検出する。キャンペーン規則ＲＧＣについては、図２を参照しながらより詳細に説明する。
【００２３】
キャンペーン・サーバＳｃおよびプレゼンス・サーバＳＰは、インターネットまたはイントラネット・タイプのパケット・ネットワークＲＰの第１のデータ・チャネルによって、互いに通信する。第１のケースによれば、２つのサーバＳｃおよびＳＰは、同じオペレータに配置されるため、ＩＰアドレッシングおよび名前解析の問題を低減させる。第２のケースによれば、２つのサーバは別々のオペレータに配置され、２つのサーバ間のセキュアな通信によって通信する。
【００２４】
キャンペーン・サーバＳｃは、たとえば図１には示されていない通信ゲートウェイを使用して、無線通信ネットワークＲＲとパケット・ネットワークＲＰとの間に開かれた第２のデータ・チャネルＣＤによって、端末Ｔ１からＴＮに関連付けられたチップ・カードＣ１からＣＮと通信する。この第２のデータ・チャネルＣＤは、プレゼント・サーバＳＰを通過しない。通信ゲートウェイは、インターネットなどの、またはネットワークＲＲのオペレータ専用のイントラネット・ネットワークなどの、高速パケット・ネットワークＲＰを介して、サーバＳＣと通信するための、アクセス・ゲートウェイを備えることができる。通信ゲートウェイの他のアクセス・ゲートウェイは、非常に多くの場合Ｘ．２５タイプのパケット・ネットワークなどのアクセス・ネットワークを介して、無線通信ネットワークの少なくとも１つのスイッチと通信する。
【００２５】
特定の実施形態によれば、通信ゲートウェイは、ネットワークＲＲおよびＲＰを介してサーバＳＣへ、およびサーバＳＣによって伝送される、ＩＰ（インターネット・プロトコル）パケットをカプセル化するメッセージを、モバイル無線端末Ｔ１からＴＮと交換する。
【００２６】
図１に示された実施形態によれば、キャンペーンが起動された場合、キャンペーン・サーバＳＣは、キャンペーン規則ＲＧＣを備える存在要求ＲＱＰを、パケット・ネットワークＲＰを介してプレゼント・サーバＳＰへ伝送する。チップ・カードＣｎに適用されたキャンペーン規則ＲＧＣがプレゼンス・サーバＳＰ内で満たされるとすぐに、プレゼンス・サーバＳＰは、カードＣｎに関する識別子ＩＢＣｎを備える存在通知ＮＰを、キャンペーン・サーバＳＣに伝送し、その結果、キャンペーン・サーバＳＣはデータＤをチップ・カードＣｎにダウンロードすることになる。
【００２７】
本方法の様々なステップについては、図３を参照しながらさらに詳細に説明する。
図２は、キャンペーン・サーバＳＣ、プレゼンス・サーバＳＰ、端末Ｔｎ、およびチップ・カードＣｎを機能ブロックの形で示し、その大部分は、本発明とのリンクを有する機能を実行し、ソフトウェアおよび／またはハードウェアのモジュールに対応することができる。
キャンペーン・サーバＳＣは、ダウンロード中の様々な動作を管理するキャンペーン・マネージャＧＥＣと、パケット・ネットワークＲＰを介してパケットＩＰを送信および受信するための通信インターフェースＩＣＣとを備える。キャンペーン・マネージャＧＥＣは、特に、プレゼンス・サーバに伝送されることになる１つまたは複数のダウンロード・キャンペーンに関するキャンペーン規則ＲＧＣを作成する。
【００２８】
キャンペーン規則ＲＧＣは、無線通信ネットワークＲＲにおけるキャンペーンによって対象とされるチップ・カードＣｎに関する存在イベントの、明確な識別にリンクされ、これは、キャンペーン・サーバＳＣからデータの完全なダウンロードを受け取るために十分な期間、カードＣｎがネットワーク内で使用可能であることを意味する。キャンペーン規則ＲＧＣは、カードのシリアル番号またはカード・ユーザの国際識別ＩＭＳＩ（国際モバイル加入者識別）などの、キャンペーンによって対象とされるチップ・カードＣｎに関する少なくとも１つの識別子ＩＤＣｎ、および少なくとも１つの存在条件を含む。たとえば、無線通信ネットワークＲＲにおけるチップ・カードＣｎに関する存在条件は、識別子ＩＤＣｎを備えるチップ・カードの、通常は５分を超える所定期間の、無線通信ネットワークＲＲへの接続である。対象とされるチップ・カードに関する存在イベントＥＰは、キャンペーン・サーバからプレゼンス・サーバへと伝送されるキャンペーン規則に含まれる存在条件が満たされるとすぐに、プレゼンス・サーバＳＰによって検出される。一般に、キャンペーン規則ＲＧＣは、キャンペーンによって対象とされる多数のチップ・カードの識別子、および１つまたは複数の存在条件を含む。他の例によれば、存在条件は、ネットワークＲＲ内の位置ゾーンにおける、チップ・カードをサポートする端末の位置である。
【００２９】
キャンペーン・サーバＳＣは、通信ネットワークＲＲのオペレータによって管理されるカードの様々なパラメータおよび特徴を含む、データベースＤＤにリンクされる。これらのパラメータおよび特徴は、とりわけ、キャンペーン規則ＲＧＣの作成に必要である。
【００３０】
各チップ・カードＣｎは、データベースＢＤ内のテーブルＴＣｎに関連付けられる。ＴＣｎは、特に、カードＣｎの識別およびカードのタイプにリンクされ、カードの使用が開始されるとすぐにデータベースＢＢに記録される、初期の特徴を備える。これらの初期の特徴は、特に、カードのシリアル番号、カードのユーザの国際識別ＩＭＳＩ（国際モバイル加入者識別）、およびモバイル・ユーザの電話番号（移動局ＩＳＤＮ番号）である。カードＣｎのタイプは、特に、カードに含まれるプロセッサのタイプの識別子、カード製造業者の識別子、プロセッサによって処理される単語あたりのビット数、カードに実装されたオペレーティング・システムおよび仮想マシンの特徴などによって、定義される。
【００３１】
カードの使用および特にカードのユーザに特有の他の特徴も、カードの使用が開始された場合、カードＣｎに関連付けられたテーブルＴＣｎに記録することが可能であり、カードの使用中に修正することができる。これらの他の特徴は、特に、カードＣｎのユーザの加入プロファイル、電話番号および電子メール・アドレスのリストなどの、ユーザによって、またはカードを管理するオペレータによって修正可能なデータ、ならびに、たとえば優先無線通信ネットワークＰＰＬＭＮ（優先公衆陸上モバイル・ネットワーク）に関する識別子のファイルに関する。ＰＰＬＭＮファイル内で識別されたこれらのネットワークは、ユーザがこれらのネットワークによってカバーされた地域全体にわたって移動中の場合、カードＣｎのユーザがこれらのネットワークを介して通信するように、カードＣｎが接続されたネットワークＲＲのオペレータが契約を結んだオペレータによって管理される。
【００３２】
テーブルＴＣｎは、チップ・カードＣｎの使用が開始された場合にロードされた、および／または使用が開始された後にダウンロードされた、１つまたは複数のアプリケーション識別子ＩＡＰを含むこともできる。たとえばアプリケーションは、優先ネットワーク識別子ファイルＰＰＬＭＮを修正することからなる。他の例によれば、アプリケーションは、たとえば、ユーザが新しい電話番号をカードに記録すると必ず、ユーザがカードＣｎを紛失した場合またはカードを変更した場合に、自分の保存したリストを見つけることができるように、自分の完全なリストをオペレータによって管理される特定のサーバに保存することを実行可能にすることによって、カードＣｎ内の電話番号のリストの管理を容易にするために、アプリケーションを削除することまたはカードＣｎにアプリケーションをダウンロードすることからなる。他のアプリケーションは、カードＣｎにすでにダウンロードされたアプリケーション内に、修正済みパラメータを提供することが可能であり、たとえば、修正されるパラメータは、ユーザが先払いアカウントに加入した場合の再ロード料金および通信ユニットの更新、あるいは、オペレータまたはオペレータのサービスのうちの１つの広告名の更新である。
【００３３】
データベースＢＤ、または変形ではサーバＳＣは、それぞれキャンペーンに起因する、１つまたは複数のキャンペーン・テーブルＴＣＡも含む。各キャンペーン・テーブルＴＣＡは、カードにダウンロードされることになる１つまたは複数のコンテンツＣｔを含む。各コンテンツＣｔは、ダウンロードされることになるデータＤを含む。データは、たとえばアプリケーションを更新するためのデータ、または広告メッセージである。各コンテンツＣｔは、ダウンロードが関係するアプリケーションの識別子ＩＡＰ、またはダウンロード・キャンペーンＴＣＡによって対象とされるチップ・カードの識別子のリストなどの、データＤの記述ＤＳＤも含む。
【００３４】
データベースＢＤは、キャンペーン・サーバＳＣに組み込むか、あるいは、ネットワークＲＲのオペレータに特有の（インターネットを介する、またはイントラネット・ネットワークを介する）ネットワークＲＰなどのパケット・ネットワークによってサーバＳＣに接続されたデータベース管理サーバの形で独立させることができる。
プレゼンス・サーバＳＰは、無線通信ネットワークＲＲ内のチップ・カードに関し、１つまたは複数のキャンペーン規則ＲＧＣを満たす、存在イベントの検出に関する様々な動作を管理する、プレゼンス・マネージャＧＥＰを備える。
【００３５】
プレゼンス・サーバは、プレゼンス・マネージャ内に、存在サービスに加入しているユーザによってプログラミングされ、ユーザ端末へのアクセス可能性の時限範囲に基づく、存在規則ＲＧＰを備える。存在サービスに加入しているユーザは、他のユーザが呼び出すことが可能なユーザ端末の呼び出し時限範囲を、自分の動作に従ってプログラミングする。たとえば、加入したユーザは、午前８時から午後２時の間に呼び出されることを希望するオフィスの固定電話と、午後２時から午後７時の間に連絡されることを希望するモバイル端末または電子メッセージングと、午後７時以降、午前８時以前に呼び出されることを希望する自宅の固定電話との、３つの端末のアクセス可能性の時限範囲をプログラミングする。第２のユーザが、午後の半ばに自宅の固定電話に加入しているユーザを呼び出すとすぐに、プレゼンス・サーバにこのことが通知され、加入ユーザによる時限呼び出し範囲のプログラミングに従って加入ユーザの移動端末への呼び出しを参照するか、または、端末のアドレスおよび端末のアクセス可能性の時限範囲などの方法および手段を第２のユーザに示す、第２のユーザ宛のメッセージを送信する。加入ユーザは、自分のモバイル端末または他の通信デバイスを介して、存在規則ＲＧＰを備えるメッセージＭをプレゼンス・サーバＳＰに伝送することができる。
【００３６】
プレゼンス・サーバは、パケット・ネットワークＲＰを介してパケットＩＰを送信および受信するため、ならびに、識別子ＩＣＤｎを備えたチップ・カードＣｎがネットワークに接続されていることを示すために無線通信ネットワークＲＲを制御する要素によって伝送されるＩＰタイプとすることができるメッセージＭを受信するための、通信インターフェースＩＣＰも備える。
【００３７】
端末Ｔｎは、電気的接点を備えるかまたは備えない、チップ・カードＣｎの入力／出力ポートＰＥＳに関連付けられた、読取装置ＬＴを含む。
カード読取装置ＬＴとは別に、端末は、プロセッサＰＴと、メモリＭＴと、端末に接続されるかまたは一体化され、特に、端末に接続されるかまたは一体化されたキーパッドに関連付けられた、スクリーンなどの、ディスプレイＡＴと、ネットワーク・インターフェースＩＲとを備える。端末の様々な要素が、双方向バスＢＴによってまとめて接続される。
【００３８】
チップ・カードＣｎは、主に、一体化された形で、１つまたは複数のマイクロプロセッサＰＣおよび３つのメモリＭ１からＭ３を備える。メモリＭ１は、カード操作システムを含むＲＯＭまたはＦｌａｓｈタイプの再書き込み不可メモリである。メモリＭ２は、特に、キー、識別番号、ならびに、ＰＩＮコードおよび他のセキュリティ・データなどの、カードを所有するユーザのプロファイルの他のパラメータを記憶するための、ＥＥＰＲＯＭまたはＦｌａｓｈタイプの不揮発性メモリである。メモリＭ３は、とりわけデータ処理のために働く、ＲＡＭまたはＳＲＡＭタイプである。カードＣｎは、コマンドまたは要求を交換し、入力／出力ポートＰＥＳおよび、接点を備えるかまたは備えない読取装置ＬＴを介して、端末Ｔｎに応答する。カードの様々な要素は、双方向バスＢＣでまとめて接続される。
【００３９】
図３を参照すると、決まりに従ったダウンロード方法はステップＥ１からＥ５を備える。
ステップＥ１は、主に２つの初期ステップＥ１０およびＥ１１を備える。
初期ステップＥ１０で、プレゼンス・サービスに加入するユーザの端末Ｔｎは、加入ユーザの端末を呼び出すためのアクセス可能性の時限範囲に関する存在規則ＲＧＰを備えるメッセージＭを送信する。これらの規則ＲＧＰは、他の通信デバイスを介して伝送することができる。
【００４０】
初期ステップＥ１１で、無線通信ネットワークＲＲのオペレータは、データベースＢＤ内の１つまたは複数のコンテンツＣＴを使用可能にし、キャンペーン・サーバＣから、データ記述ＤＳＤに従って指定されたカード・セットに、データをダウンロードする、キャンペーンＴＣＡの通常の動作中に、データＤをダウンロードしなければならない。キャンペーン・サーバ内のキャンペーン・マネージャＧＥＣは、キャンペーンＴＣＡに関する記述ＤＳＤを、キャンペーンＴＣＡによって対象とされるチップ・カードの識別子に変換し、プレゼンス・サーバＳＰにとって理解可能なキャンペーン規則ＲＧＣを取得するために、それらを存在条件に関連付ける。これは、カード内のアプリケーションの更新を必要とするダウンロード・キャンペーンの記述が、アプリケーションの識別子ＩＡＰのみを備える可能性があるためである。キャンペーン・サーバのデータベースＢＤに接続されていないプレゼンス・サーバは、無線通信ネットワークに存在すると思われるチップ・カードのコンテンツについて知らない。
【００４１】
ステップＥ２は、第１のデータ・チャネルを用いた、キャンペーン・サーバＳＣの通信インターフェースＩＣＣから、プレゼンス・サーバＳＰの通信インターフェースＩＣＰへの、キャンペーンＴＣＡの規則ＲＧＣの伝送に関し、ステップＥ２０からＥ２５を備える。
ステップＥ２０で、キャンペーンＴＣＡが開始されると、キャンペーンＴＣＡに関するキャンペーン規則ＲＧＣを作成したキャンペーン・サーバＳＣは、キャンペーン規則ＲＧＣを備える存在要求ＲＱＰを、プレゼンス・サーバＳＰに伝送する。要求ＲＱＰを受け取ると、プレゼンス・サーバは、ステップＥ２１で肯定応答ＡＱ１を戻すことができる。キャンペーン・サーバは、キャンペーン規則の数だけ要求ＲＱＰを伝送する。変形では、キャンペーン・サーバは、キャンペーン規則のリストを備える存在要求を１つだけ伝送する。
【００４２】
すべてのキャンペーン規則ＲＧＣを受け取った後、プレゼンス・マネージャＧＥＰは、それらをプレゼンス・サーバＳＰに格納し、ステップＥ２２で、すでに格納された、キャンペーンＴＣＡによって対象とされるチップ・カードを所有するユーザの端末のアクセス可能性の時限範囲に関する、存在規則ＲＧＰと、それらとを組み合わせる。したがって、チップ・カードＣｎがキャンペーン規則ＲＧＣは満たすが、端末Ｔｎのアクセス可能性の時限範囲に関する存在規則ＲＧＰを満たさない場合、関連する存在イベントＥＰはトリガされないことになる。たとえばキャンペーン規則は、識別子ＩＤＣｎを備えるチップ・カードＣｎが、５分を超えて無線通信ネットワークに接続されていること、という条件を備える。午前１１時５５分にキャンペーンによって対象とされるチップ・カードＣｎが無線通信ネットワークＲＲに接続され、存在規則ＲＧＰが、正午１２時に当該チップ・カードのユーザがカードを含む端末ＴｎをネットワークＲＲから切断することを示した場合、存在イベントＥＰはトリガされず、プレゼンス・マネージャＧＥＰはこれを検出しない。
【００４３】
ステップＥ２３で、プレゼンス・サーバＳＰは、オプションで、とりわけ、伝送されたキャンペーン規則が正しく格納されている旨の通知ＮＰ１を、キャンペーン・サーバＳＣに伝送する。キャンペーン・サーバは、ステップＥ２４で、肯定応答ＡＱ２をプレゼンス・サーバに戻すことができる。
ステップＥ２５で、キャンペーン・サーバＳＣは、たとえば、無線通信ネットワークＲＲに接続されたばかりの、規則ＲＧＣおよびＲＧＰに準拠するチップ・カードの識別子に対応する存在データＤＰを備える、新しい存在通知ＮＰ２を待つ。
【００４４】
変形では、第１の通知ＮＰ１は、キャンペーンＴｃが起動された時点でチップ・カードがすでに無線通信ネットワークＲＲ内に存在し、キャンペーン規則および存在規則に準拠している旨を、キャンペーン・プレゼンス・サーバＳＣに示す、存在データＤＰを含むことができる。この変形では、この方法は、当該規則に準拠する各チップ・カードに対して、ステップＥ４で続行される。
【００４５】
ステップＥ３は、プレゼンス・サーバＳＰによる存在イベントＥＰの検出に対応するものであって、このイベントＥＰは、チップ・カードＣｎの無線通信ネットワークＲＲへの接続に対応し、カードＣｎは、キャンペーン規則ＲＧＣおよび存在規則ＲＧＰがプレゼンス・サーバ内に格納され、カードに対応する場合、これら規則に準拠する。
【００４６】
ステップＥ３０で、少なくともチップ・カードＣｎはネットワークＲＲに接続し、チップ・カードＣｎの接続は、無線通信ネットワークＲＲに含まれる制御デバイスによって検出される。制御デバイスは、ネットワークＲＲの名目位置（nominal location）レジスタＨＬＲ（ホームロケーションレジスタ）とすることができる。制御デバイスは、ステップＥ３１で、接続されたカードＣｎの識別子ＩＤＣｎと、カードの接続に関する接続データＤＣＯとを備えるメッセージＭ１を、プレゼンス・サーバＳＰに伝送する。接続データ・アイテムＤＣＯは、たとえばカードの接続の瞬間を示す。メッセージＭ１は、事前に定義された周期性に従って、プレゼンス・サーバＳＰに伝送することができる。
【００４７】
メッセージＭ１を受け取ると、ステップＥ３２で、プレゼンス・サーバＳＰのプレゼンス・マネージャＧＥＰは、カードＣｎの識別子ＩＤＣｎと接続データＤＣＯを、カード識別子ＩＤＣｎによって指定された存在規則ＲＧＰと組み合わされたキャンペーン規則ＲＧＣに対応させる。このようにして識別子ＩＤＣｎによって識別されたカードＣｎに適応可能なキャンペーン規則および存在規則に、データＤＣＯが準拠している場合、ステップＥ３３で、マネージャＧＥＰによって存在イベントＥＰが検出されるものとみなされる。プレゼンス・サーバＳＰは、ステップＥ３４で、規則ＲＧＣおよびＲＧＰに準拠するチップ・カードＣｎに関する存在データＤＰを備える存在通知ＮＰ２を、プレゼンス・サーバＳＣに伝送する。キャンペーン・サーバは、プレゼンス・サーバに肯定応答ＡＱ３を戻巣ことが可能であり、その後ステップＥ４で、データＤのチップ・カードＣｎへのダウンロードを進行させる。
【００４８】
カードＣｎに適用可能である組み合わされた規則ＲＧＣおよびＲＧＰのうちの少なくとも１つに準拠していない場合、キャンペーン・サーバＳＣは、通知ＮＰ２によって動作しない。プレゼンス・サーバＳＰは、カードＣｎまたは任意の他のカードがキャンペーン規則およびプレゼンス規則に準拠するのを待ち、方法はステップＥ３３から接続ステップＥ３０へとパスする。
【００４９】
存在イベントＥＰの検出によって開始されるステップＥ４は、キャンペーン・サーバＳＣによる、プレゼンス・サーバＳＰを通過しない第２のデータ・チャネルＣＤを介した、少なくとも１つのキャンペーン規則ＲＧＣに準拠するチップ・カードＣｎへのデータＤのダウンロードに関係する。
【００５０】
ステップＥ４０で、キャンペーン・サーバは、第２のデータ・チャネルＣＤのオープンを開始するために、ＳＭＳなどのメッセージをチップ・カードに伝送する。メッセージＳＭＳは、キャンペーン・サーバＳＣのアドレスを含む。
カードは、ＳＭＳメッセージを受け取るとすぐに、ステップＥ４１で、キャンペーン・サーバＳＣと直接通信するためのセッションを開始するために、端末Ｔｎによって、ネットワークＲＲとＲＰとの間で、端末Ｔｎとゲートウェイとの間のＩＰタイプのデータ・チャネルＣＤをオープンする。
【００５１】
ステップＥ４２で、キャンペーン・サーバＳＣは、キャンペーンＴＣＡで定義されたデータＤをカードＣｎにダウンロードし、カードＣｎはそれらのデータＤをステップＥ４３で処理する。たとえばカードは、ダウンロードが関係するアプリケーションを更新する。データＤの処理後、ステップＥ４３で、カードはダウンロードの結果をキャンペーン・サーバＳＣに伝送する。ダウンロードの終わりに、サーバＳＣは、たとえばセッション終了要求をカードＣｎに送信することによって、セッションを閉じる。第２の終了要求を受け取ると、カードおよび／またはキャンペーン・サーバＳＣは、端末Ｔｎとゲートウェイとの間の通信チャネルＣＤを解放する。
変形では、キャンペーン・サーバは、たとえば端末Ｔｎが、すでにインターネットまたはイントラネット接続を提供しているパーソナル・コンピュータの場合、端末Ｔｎの事前に定義されたポートを介するＩＰタイプの接続によって、カードに直接接続する。
ステップＥ５は、対象とされるすべてのチップ・カードが処理された場合の、キャンペーンＴＣＡの終わりに対応する。
【００５２】
ステップＥ５０で、キャンペーン・サーバは、キャンペーンＴＣＡによって対象とされるすべてのチップ・カードが処理されたかどうかをチェックする。カードがまだ処理されていない場合、キャンペーン・サーバは、ステップＥ２５で、他の存在通知ＮＰ２がプレゼンス・サーバから送られてくるのを待つ。キャンペーンによって対象とされるすべてのカードが処理された場合、キャンペーンＴＣＡは終了し、ステップＥ５１で、キャンペーン・サーバはキャンペーン規則削除要求ＲＱＳを伝送する。この要求ＲＱＳを受け取ると、ステップＥ５２で、プレゼンス・サーバＳＰはキャンペーンＴＣＡに関するすべての規則ＲＧＣを削除する。
変形では、すでに処理されたチップ・カードに関するキャンペーン規則は、キャンペーンＴＣＡが終了していない間に削除することができる。
【００５３】
本発明は、ＵＩＣＣタイプのチップ・カードへのデータのダウンロードに限定されるものではない。データがダウンロードされることになるチップ・カードは、モバイル端末に接続されたポータブル・コンピュータに含まれるカード、あるいは、モバイル端末にリンクされた支払いカード、電子パース・カード（purse card）、または任意の他の追加カードとすることもできる。他の変形によれば、本発明は、通信携帯情報端末ＰＤＡなどの、他のポータブル通信電子オブジェクトに適用される。本発明は、ダウンロードされることになるデータが、モバイル端末のＥＥＰＲＯＭタイプの不揮発性メモリ内に記録されることになるゲームに関係するキャンペーンによって対象とされる、モバイル端末にも適用される。
【００５４】
本明細書に記載された発明は、キャンペーン・サーバで使用可能とされたデータをポータブル通信オブジェクトにダウンロードするための方法およびシステムに関する。好ましい実施によれば、本発明の方法の諸ステップは、システムに、特に一部はキャンペーン・サーバに、一部はプレゼンス・サーバに組み込まれた、コンピュータ・プログラムの命令によって決定される。プログラムは、当該プログラムが、その機能がプログラムの実行によって制御されるシステムに、ロードおよび実行された場合、本発明に従った方法の諸ステップを実行する、命令を含む。
したがって本発明は、プログラム、特に本発明の実施に適合する情報担体の上または中のプログラムにも適用する。
【図面の簡単な説明】
【００５５】
【図１】本発明に従ったダウンロード方法を実施するための、ポータブル通信オブジェクトと、ネットワーク・オペレータによって管理されるキャンペーン・サーバと、プレゼンス・サーバとを接続する、通信システムを示す概略ブロック図である。
【図２】図１に関するより詳細な概略ブロック図である。
【図３】本発明に従ったダウンロード方法を示すアルゴリズムである。
【図１】
2009514470.tif 000003
【図２】
2009514470.tif 000004
【図３】
2009514470.tif 000005
【国際調査報告】
2009514470.tif 000006
2009514470.tif 000007
2009514470.tif 000008
2009514470.tif 000009